(57)【要約】【課題】汎用性の高い電飾パネルを備えた遊技機を提供する。【解決手段】電飾パネル（２０）を備えた遊技機において、前記電飾パネルは、装飾が施された第１装飾シート（２７）および第２装飾シート（２８）と、これら２つの装飾シートの間に挟まれるように配置される導光板（２２）と、光が前方を向くようにして前記導光板の後方に配置される光源（２５）と、を有して構成されると共に、前記第１装飾シート、前記第２装飾シート、および前記導光板が起立した状態で前記遊技機の側部に取り付けられる構成となっている。【選択図】図５
2014176468.tif 000002
【特許請求の範囲】
【請求項１】
電飾パネルを備えた遊技機において、
前記電飾パネルは、装飾が施された第１装飾シートおよび第２装飾シートと、これら２つの装飾シートの間に挟まれるように配置される導光板と、光が前方を向くようにして前記導光板の後方に配置される光源と、を有して構成されると共に、前記第１装飾シート、前記第２装飾シート、および前記導光板が起立した状態で前記遊技機の側部に取り付けられる
ことを特徴とする遊技機。
【請求項２】
請求項１において、
前記第１装飾シートは、遊技者に対して視認可能な向きに配置され、
前記導光板は、前記第１装飾シートと対向する第１発光面が、前記第２装飾シートと対向する第２発光面より暗く光るように表面加工が施されている
ことを特徴とする遊技機。
【発明の詳細な説明】
【技術分野】
【０００１】
本発明は、パチンコ機やスロットマシン等に代表される遊技機に関し、特に遊技機の電飾パネルに関する。
【背景技術】
【０００２】
遊技機の代表例であるパチンコ機は、遊技場の島設備に設置される縦長方形状の外枠と、この外枠に開閉自在に取り付けられる本体枠と、この本体枠に取り付けられる遊技盤と、本体枠に開閉自在に取り付けられると共に遊技盤を視認可能に覆うガラス扉と、を備えて構成される。また、ガラス扉の上部および左右の側部には様々な装飾部材が設けられている。
【０００３】
装飾部材の一例として、特許文献１には、ガラス扉の右側部に、前方（遊技者側）へ突出する突出部を設けたパチンコ機が開示されている。この突出部には、左右方向に沿って貫通する窓部が設けられ、この窓部には、ドットパターンが形成された導光板と、ＬＥＤとを有する表示装置（電飾パネル）が嵌め込まれている。特許文献１によれば、ＬＥＤが点灯することで導光板がドットパターンに応じた文字や模様を表示するため、装飾効果を高めることができる。
【先行技術文献】
【特許文献】
【０００４】
【特許文献１】特開２０１２−１１５５５５号公報
【発明の概要】
【発明が解決しようとする課題】
【０００５】
ところで、パチンコ機の機種交換には、パチンコ機全体を交換する場合と、枠は残して遊技盤のみを交換する場合とがある。いったんパチンコ機が島設備に設置されると、枠やガラス扉はそのまま残して、遊技盤のみを新機種に交換するというやり方が一般的である。ここで、特許文献１は、導光板に形成されたトレッドパターンによって文字や模様を表示する構成であるため、機種毎に特有の文字や模様を表示させたい場合には、機種交換の度に導光板を交換しなければならない。そのため、特許文献１に記載の表示装置では、汎用性に欠けるという課題がある。
【０００６】
本発明は、上記した実状に鑑みてなされたものであり、その目的は、汎用性の高い電飾パネルを備えた遊技機を提供することにある。
【課題を解決するための手段】
【０００７】
上記目的を達成するため、本発明は、電飾パネルを備えた遊技機において、前記電飾パネルは、装飾が施された第１装飾シートおよび第２装飾シートと、これら２つの装飾シートの間に挟まれるように配置される導光板と、光が前方を向くようにして前記導光板の後方に配置される光源と、を有して構成されると共に、前記第１装飾シート、前記第２装飾シート、および前記導光板が起立した状態で前記遊技機の側部に取り付けられることを特徴としている。
【０００８】
本発明によれば、機種交換の際には、第１装飾シートおよび第２装飾シートを交換するだけで良いので汎用性が高い。しかも、経済的である。
【０００９】
また、上記構成において、前記第１装飾シートは、遊技者に対して視認可能な向きに配置され、前記導光板は、前記第１装飾シートと対向する第１発光面が、前記第２装飾シートと対向する第２発光面より暗く光るように表面加工が施される構成とするのが好ましい。
【００１０】
第１装飾シートは遊技者の視界に入るため、導光板の第１発光面が過度に光ると遊技に集中できなくなるところ、上記の構成によれば、第１発光面が第２発光面より暗く光るため、遊技者は遊技に集中できる。一方で、第２発光面は第１発光面より明るく光るため、これから遊技を行うか否か迷っている遊技者に対して訴求効果を発揮することができる。
【発明の効果】
【００１１】
本発明によれば、電飾パネルの汎用性を高めることができる。
【図面の簡単な説明】
【００１２】
【図１】本発明の実施の形態例に係るパチンコ機の正面図である。
【図２】図１に示すパチンコ機の外観斜視図である。
【図３】図２に示すサイドパネルの側面図である。
【図４】図２に示すサイドパネルの外観斜視図である。
【図５】図２に示すサイドパネルの分解斜視図である。
【図６】図２に示すサイドパネルのデザインシートを外した状態の正面図である。
【図７】図２に示すサイドパネルのデザインシートを外した状態の外観斜視図である。
【図８】図６に示すサイドパネルの要部拡大図である。
【図９】図２に示すサイドパネルのケースの外観斜視図である。
【図１０】図５に示すサイドパネルの導光板の部分断面図である。
【図１１】図２に示すサイドパネルのデザインシートを交換する方法を示す図である。
【発明を実施するための形態】
【００１３】
以下、本発明をパチンコ機に採用した場合の実施の形態例について、図面を用いて説明する。なお、以下の説明において、前後、上下、左右の各方向は、何れもパチンコ機の前に着席した遊技者から見た方向を指すものとする。
【００１４】
図１および図２に示すように、本発明の実施の形態例に係るパチンコ機Ｐは、遊技場の島設備に設置される縦長方形状の機枠１と、機枠１に扉状に開閉自在に取り付けられた本体枠２と、本体枠２の内側に収容される遊技盤（図示せず）と、本体枠２の前面に扉状に開閉自在に取り付けられ、中央に大きく開口部９が形成されたガラス扉４と、このガラス扉４の開口部９に取り付けられた透明なガラス板１０と、遊技球を収容する受皿５と、ハンドル７と、を主に備えて構成される。遊技者は、パチンコ機Ｐと対面するように座り、ハンドル７を回して遊技盤に遊技球を発射させることによって、遊技を行うことができる。このとき、遊技者は、ガラス板１０を介して遊技盤を視認可能である。また、図示しないが、遊技盤には、始動口、一般入賞口、スルーチャッカ、風車、釘、ステージ、液晶表示器、可動役物、アタッカー、アウト口などが設けられている。
【００１５】
ガラス扉４は、本体枠２の前側をほぼ全体に亘って覆う構造体であって、左側部が本体枠２と一対のヒンジ１４を介して取り付けられることにより、これら一対のヒンジ１４を中心に前後方向に開閉する。なお、通常、ガラス扉４は施錠装置１３によって閉じられた状態にロックされている。ガラス扉４は、上部に設けられる一対のスピーカ６と、上部中央に設けられるランプ役物１１と、上部右角部から左側部の下部にかけて設けられる装飾レンズ１２と、上部右角に設けられる回転灯ユニット５０と、この回転灯ユニット５０の直下であって右側部に設けられるサイドパネル（電飾パネル）２０と、を有しており、これらが取り付けられた状態での開閉が可能に構成される。なお、受皿５はガラス扉４の下部に一体的に設けられる。また、符号８は演出用のタッチボタンである。
【００１６】
ランプ役物１１および装飾レンズ１２の内部には、図示しないＬＥＤが複数設けられており、遊技の進行に伴ってＬＥＤの点灯制御を行うことにより、ランプ役物１１や装飾レンズ１２を用いた様々な演出が行われる。また、回転灯ユニット５０は、図示しないが、環状に整列した複数のＬＥＤを有している。各ＬＥＤが整列した順序に点灯と消灯を複数回繰り返すことにより擬似的に回転灯のような演出を行うことができる。例えば、本実施形態では、この回転灯ユニット５０を大当たりの確定的な報知や大当たり遊技中の演出に用いている。
【００１７】
なお、回転灯ユニット５０は、ガラス扉４に対して上下方向にスライド可能に取り付けられており、詳しくは後述するが、回転灯ユニット５０を上方向に少しスライドさせることにより、サイドパネル２０の意匠替え（デザインシート２７，２８の交換）を行うことができる構成となっている。
【００１８】
サイドパネル２０は、図２に示すようにガラス扉４の右側部から前方へ突出するように形成された装飾用の装置であり、奥行きがおよそ１００ｍｍ、厚さがおよそ１０ｍｍ程度、高さがおよそ３００ｍｍ程度の縦長で薄いケース２１と、このケース２１に内装される装飾用の各種部品（図５等参照）とを有して構成される。
【００１９】
ケース２１は、樹脂材料から成る成形部品であり、図９に示すように上方と後方が開放され、断面が略コ字状に形成された構造体であって、その上部に開口２１ａが形成されている。そして、後述するデザインシート２７，２８、導光板２２、ＬＥＤ基板２６等（図４等参照）を前方からケース２１で覆うことにより、図２に示すサイドパネル２０が完成する。なお、ケース２１は透明であり、デザインシート２７，２８に印刷された意匠（後述）を、遊技者等は外側から視認できるようになっている。
【００２０】
また、図２から明らかなように、パチンコ機Ｐの右側部の大半はサイドパネル２０が占めており、隣り合うパチンコ機は、サイドパネル２０によって仕切られた格好となる。即ち、サイドパネル２０は、装飾用に設けられているものであるが、一種の仕切り壁としても機能する。なお、遊技者がパチンコ機Ｐの前に座った状態において、遊技者はサイドパネル２０の左側面を見ることができるが、右側面を見ることは困難である。その一方で、パチンコ機Ｐの周囲を歩いている人にとっては、サイドパネル２０の右側面が際立って見えることになる。
【００２１】
次に、サイドパネル２０の詳細構造について図３〜図８を用いて説明する。サイドパネル２０は、図５等に示すように、導光板２２と、デザインシート（第１装飾シート、第２装飾シート）２７，２８と、ＬＥＤ基板２６と、シート押え部材３０，３１と、ベース３５と、これらを内装する透明なケース２１（図９参照）と、を備えている。このサイドパネル２０は、起立した状態でパチンコ機Ｐのガラス扉４の右側部に一体的に取り付けられている（図２参照）。
【００２２】
ＬＥＤ基板２６は、図５に示すように、細長い基板であって、その表面に複数のＬＥＤ２５ａ，２５ｂ，・・・から成るＬＥＤ群（光源）２５が設けられている。ＬＥＤ基板２６は、ＬＥＤ群２５の光の向きが前方（正面側）を向くようにして、導光板２２の後方に配置される。なお、ＬＥＤ基板２６は、パチンコ機Ｐの遊技と連動してＬＥＤ群２５の点灯制御を行うように構成されており、例えば、スタンバイ中と、通常の遊技中と、大当たり遊技中とで異なる点灯制御を行っている。より具体的には、スタンバイ中は遊技者を惹き付けるために明るく点灯し、通常の遊技中は遊技盤に設けられた液晶表示器での演出との兼ね合いで明るさをやや抑えて点灯し、大当たり遊技中は派手に点灯するといった点灯制御を行っている。
【００２３】
導光板２２は、図３〜図７に示すように、縦長な薄板状に形成され、ＬＥＤ群２５からの光を後面２２ｄの側から受けることにより、左側面（第１発光面）２２ａおよび右側面（第２発光面）２２ｂが面発光して、デザインシート２７，２８を照らすよう構成される。勿論、前面２２ｃもＬＥＤ群２５の光によって発光する。よって、外観上、サイドパネル２０は、その左側面、右側面、および前面が光って見えることになる。これにより、演出効果が向上する。
【００２４】
さらに、導光板２２の左側面２２ａの表面には無数の溝２４が形成されている。この溝２４の形状を図１０に示す。図１０に示すように、溝２４は断面が略三角形状を成している。この溝２４によって、後方から前方に向かって入射する光が屈折する。その結果、左側面２２ａより右側面２２ｂの方が明るく発光する。即ち、本実施形態では、無数の溝２４によって、サイドパネル２０の左側が暗く、右側が明るく光る構成となっているのである。
【００２５】
左側面２２ａを暗くした理由は、遊技者の興味をなるべく遊技盤に設けられた液晶表示器の画面に集中させるためである。より詳細に言えば、遊技中は液晶表示器に様々な演出が表示されるため、遊技者はその演出に集中したいが、仮にサイドパネル２０の左側面があまりに明るく光っているとすると、遊技者の気が散ってしまい、せっかくの演出に興味を持てなくなってしまうなどの悪影響があるからである。その点、導光板２２の右側面２２ｂは、パチンコ機Ｐを遊技している遊技者にとって視認困難であるため、暗くしなくても良い。このような理由から、導光板２２の左側面２２ａと右側面２２ｂとで明暗を分けるような構成としているのである。
【００２６】
また、図３に示すように、導光板２２の左側面２２ａの下部には次に述べるデザインシート２７の突起２７ｂが入り込むための第１凹部２３ａが設けられ、図４に示すように、導光板２２の右側面２２ｂの下部にはデザインシート２８の突起２８ｂが入り込むための第２凹部２３ｂが設けられている。但し、第１凹部２３ａと第２凹部２３ｂとは位置が前後方向にずれているから、デザインシート２７を導光板２２の右側面２２ｂ側に取り付けようとしても、デザインシート２７の突起２７ｂが第２凹部２３ｂに入らない。同様に、デザインシート２８を導光板２２の左側面２２ａ側に取り付けようとしても、デザインシート２８の突起２８ｂが第１凹部２３ａに入らない。この構成により、デザインシート２７およびデザインシート２８の取付けの間違いを防止することができる。
【００２７】
上記したデザインシート（第１装飾シート）２７は、樹脂製材料から成り、可撓性を有する薄いシート状に形成され、表面にパチンコ機Ｐの機種に関する情報（例えば、当選確率、大当たりのラウンド数、ルールなど）が印刷されている。このデザインシート２７は、図５に示すように、導光板２２の左側面２２ａと対向するように配置される。なお、デザインシート２７の上部には、手指でデザインシート２７を容易に掴むことができるようにするためのツマミ片２７ａが設けられている。また、デザインシート２７の下部には、デザインシート２７の取付けの間違いを防止するための突起２７ｂ（図３参照）が設けられている。
【００２８】
また、デザインシート（第２装飾シート）２８は、樹脂製材料から成り、可撓性を有する薄いシート状に形成されている。さらに、図５に示すように、デザインシート２８の上部には、手指でデザインシート２８を容易に掴むことができるようにするためのツマミ片２８ａが設けられ、その下部にはデザインシート２８の取付けの間違いを防止するための突起２８ｂが設けられる。ただし、デザインシート２８の表面に印刷されるデザインは、デザインシート２７に印刷されるものとは異なっている。具体的には、デザインシート２８は、パチンコ機Ｐのモチーフとなっているキャラクタや機種名等が印刷されている。なお、デザインシート２８は、導光板２２の右側面２２ａと対向するように配置される。
【００２９】
シート押え部材３０は、図３および図５に示すように、デザインシート２７を導光板２２の左側面２２ａに対向した状態に保持するためのものであり、デザインシート２７の高さと略同一なバー３０ａと、このバー３０ａの上端から前方に折れ曲がる係止部３０ｂとにより形成され、デザインシート２７の一方（後側）の側縁部を全体的に押えている。
【００３０】
また、シート押え部材３１は、図４および図５に示すように、デザインシート２８を導光板２２の右側面２２ｂに対向した状態に保持するためのものであり、デザインシート２８の高さと略同一なバー３１ａと、このバー３１ａの上端から前方に折れ曲がる係止部３１ｂとにより形成され、デザインシート２８の一方（後側）の側縁部を全体的に押えている。
【００３１】
ベース３５は、図５に示すように、導光板２２の上方に位置して、ＬＥＤ基板２６およびシート押え部材３０，３１が取り付けられた導光板２２を保持するためのものである。そして、図６および図７に示すように、ベース３５には、デザインシート２７，２８を挿入するための挿入口３７，３８が設けられている。具体的には、立板３６とガイド板４０との間の隙間が挿入口３７となり、ガイド板４０とガイド板４５との間の隙間が挿入口３８となる。なお、デザインシート２７，２８の挿入を容易にするために、ガイド板４０とガイド板４５とは高さ位置を上下方向に少しずらして設けられている。
【００３２】
ガイド板４０には、３つのＲ形状部（屈曲部）４１ａ，４１ｂ，４１ｃと、２つの切欠き４２ａ，４２ｂが設けられている。Ｒ形状部４１ｃは、図８に示すように、挿入口３７の一部を上方から覆うように先端が屈曲して形成される。他の２つのＲ形状部４１ａ，４１ｂの形状も同様である。そのため、挿入口３７は、図８に示す通り、Ｒ形状部４１ａ，４１ｂ，４１ｃによって右側が開放された状態となっている。そして、デザインシート２８を右側からガイド板４０に突き当てるようにして差し込むことにより、デザインシート２８は、ガイド板４０のＲ形状部４１ａ，４１ｂ，４１ｃに沿って撓みながら挿入口３７へと案内されるようになっている。
【００３３】
一方、切欠き部４２ｂは、図４に示すように、デザインシート２８のツマミ片２８ａが露呈する程度の深さで切欠かれた凹部として形成される。この切欠き４２ｂが設けられていることにより、ツマミ片２８ａを手指で掴んで容易に引き抜くことができる。なお、切欠き４２ａの形状も同様である。
【００３４】
ここで、Ｒ形状部４１ｃを例に挙げて、Ｒ形状部４１ａ，４１ｂ，４１ｃと挿入口３７との位置関係について説明を補足する。図８に示すように、Ｒ形状部４１ｃは、挿入口３７の幅方向（図８の左右方向）の半分を超える程度の範囲で、上方から挿入口３７を覆うように屈曲している。別言すれば、Ｒ形状部４１ｃの上端部が挿入口３７の上方にせり出している。この構成により、例えば、ゴミ等が挿入口３７に落下することを防止することができる。即ち、Ｒ形状部４１ｃは、デザインシート２８を挿入口３７へ案内する機能だけでなく、挿入口３７にゴミ等が入ることを防止するための屋根としても機能するのである。
【００３５】
また、いったん挿入口３７からケース２１内に挿入されたデザインシート２８は、まっすぐ上方に引き抜こうとしてもＲ形状部４１ｃが邪魔をして容易に外れない。即ち、Ｒ形状部４１ｃは、デザインシート２８が簡単に引き抜かれないようにストッパーとしても機能している。
【００３６】
なお、ガイド板４５はガイド板４０と同一部品で構成されている。即ち、３つのＲ形状部（屈曲部）４６ａ，４６ｂ，４６ｃの形状と、２つの切欠き４７ａ，４７ｂの形状とは、それぞれガイド板４０のものと同じである。このようにガイド板４０とガイド板４５とを同一部品としたのは部品点数およびコストの削減のためであるが、それぞれを専用に設計しても良い。この場合、１つのガイド板に１つの切欠きを設けておけば十分である。
【００３７】
次に、サイドパネル２０の意匠替えを行う手順について、図１１を用いて説明する。まず、意匠替えを行いたい作業者は、回転灯ユニット５０を図１１に示すように上方にスライドさせる。そうすると、ケース２１の開口２１ａが現われると共に、挿入口３７，３８が露呈される。なお、図示しないが、回転灯ユニット５０は、図１１に示す位置にて仮固定される構成となっている。次に、作業者がデザインシート２７のツマミ片２７ａを手指で掴んで右上方向に引っ張ると、デザインシート２７は、ガイド板４５のＲ形状部４６ａ，４６ｂ，４６ｃによって撓みながら、最終的に挿入口３８から取り出される。デザインシート２８についても同様の手順により挿入口３７から取り出すことができる。
【００３８】
次に、予め用意しておいた新しいデザインシートをサイドパネル２０の右側からガイド板４０，４５に突き当てるようにしながら差し込む。すると、デザインシートは撓みながら挿入口３７，３８に挿入される。そのままデザインシートを押し込んでいくと、最終的には、デザインシートの下部の突起が凹部２３ａ，２３ｂに当接する位置で止まる。挿入口３７から挿入されたデザインシートは、導光板２２の右側面２２ｂに対向する位置に配置され、挿入口３８から挿入されたデザインシートは、導光板２２の左側面２２ａに対向する位置に配置される。
【００３９】
このとき、サイドパネル２０の左側に入れるべきデザインシートを右側に間違って挿入した場合、上述したように、デザインシートの突起が導光板２２の第２凹部２３ｂに正しく入り込まないため、作業者はデザインシートの挿入間違いに気付く（逆の場合も同様である）。そのため、デザインシートの取付けの間違いは起こらない。そして、新しいデザインシートの挿入が完了したら、回転灯ユニット５０を元の位置までスライドさせて固定すれば、デザインシートの交換が完了する。
【００４０】
以上説明したように、本実施形態に係るパチンコ機Ｐによれば、デザインシートを交換するだけでサイドパネル２０の意匠替えを行うことができるため、汎用性が高い。また、デザインシートをサイドパネル２０の右側から挿入できるため、回転灯ユニット５０を完全に取り外す必要がない。よって、作業効率が高まる。しかも、回転灯ユニット５０を取り外した後で、回転灯ユニット５０を落として壊すといったトラブルを防止することができる。
【００４１】
また、サイドパネル２０の左側が明るく光っていると、遊技者が液晶表示器に表示される演出に集中できないという状況も考えられるところ、本実施形態では、導光板２２の表面加工（溝２４）によってサイドパネル２０の左側を右側に比べて暗くなるように工夫しているので、遊技者が遊技中にサイドパネル２０からの光に気を取られることがなくなる。よって、遊技に集中することができる。その一方で、本実施形態において、サイドパネル２０の右側はデザインシート２８に印刷された意匠が際立つように明るく光っているので、遊技を行うか否か迷っているような人々に対して訴求効果を発揮することができる。
【００４２】
このように、本実施形態では、サイドパネル２０の左側面は機種情報等が印刷されたデザインシートを遊技者に見せる目的に使用されるため、演出の邪魔にならないように控え目に発光するようにし、サイドパネル２０の右側面はパチンコ機の周囲の人に対してアピールするような宣伝広告の目的で使用されるため、派手に発光するようにしている。よって、実際に遊技を行っている遊技者と、これから遊技を行おうと思っている者との両者に対して好適な演出を行うことができるのである。
【００４３】
なお、本発明は、パチンコ機に限らず、スロットマシン、その他の遊技機に採用しても良い。
【符号の説明】
【００４４】
２０  サイドパネル（電飾パネル）
２２  導光板
２２ａ  導光板の左側面（第１発光面）
２２ｂ  導光板の右側面（第２発光面）
２４  溝（表面加工）
２５  ＬＥＤ群（光源）
２７  デザインシート（第１装飾シート）
２８  デザインシート（第２装飾シート）
Ｐ  パチンコ機（遊技機）
【図１】
2014176468.tif 000003
【図２】
2014176468.tif 000004
【図３】
2014176468.tif 000005
【図４】
2014176468.tif 000006
【図５】
2014176468.tif 000007
【図６】
2014176468.tif 000008
【図７】
2014176468.tif 000009
【図８】
2014176468.tif 000010
【図９】
2014176468.tif 000011
【図１０】
2014176468.tif 000012
【図１１】
2014176468.tif 000013